(57)【要約】  本出願申請は折畳み可能コンポーネントを開示する。折畳み可能コンポーネントは、第１スライドスロットを備えている第１支持コンポーネントと、第２スライドスロットを備えている第２支持コンポーネントと、第１支持コンポーネントと第２支持コンポーネントとの間に結合されている曲げ支持コンポーネントであり、曲げ支持コンポーネントは互いに対向している第１端と第２端とを含み、第１端は第１スライドスロットの中へ延び、第２端は第２スライドスロットの中へ延びている、曲げ支持コンポーネントと、フレキシブルディスプレイパネルを支えるように構成されている支持層であり、支持層は第１支持コンポーネント、曲げ支持コンポーネント、および第２支持コンポーネントに対して取り付けられており、曲げ支持コンポーネントは折畳み又は展開のプロセスにおいて第１端が第１スライドスロットの中で摺動し、第２端が第２スライドスロットの中で摺動できるように構成されており、第１支持コンポーネント、曲げ支持コンポーネント、および第２支持コンポーネントは支持層の折畳み又は展開を駆動するように構成されており、第１支持コンポーネントと支持層との間には相対的なオフセットが存在せず、第２支持コンポーネントと支持層との間には相対的なオフセットが存在せず、かつ、支持層と曲げ支持コンポーネントと支持層との間の嵌合面との間には相対的なオフセットが存在しない、支持層とを含む。本出願申請における折畳み可能コンポーネントは、フレキシブルディスプレイパネルを折畳み又は展開のプロセスにおける損傷から保護することができる。本出願申請は、さらにモバイル端末を開示する。
2019506651.tif 000002
【特許請求の範囲】
【請求項１】
折畳み可能コンポーネントであって、
第１スライドスロットを備えている、第１支持コンポーネントと、
第２スライドスロットを備えている、第２支持コンポーネントと、
前記第１支持コンポーネントと前記第２支持コンポーネントとの間に結合されている、曲げ支持コンポーネントであり、
前記曲げ支持コンポーネントは、互いに対向している第１端と第２端とを含み、前記第１端は、前記第１スライドスロットの中へ延び、かつ、前記第２端は、前記第２スライドスロットの中へ延びている、
曲げ支持コンポーネントと、
フレキシブルディスプレイパネルを支えるように構成されている、支持層であり、
前記支持層は、前記第１支持コンポーネント、前記曲げ支持コンポーネント、および、前記第２支持コンポーネントに対して取り付けられており、
前記曲げ支持コンポーネントは、折畳み又は展開のプロセスにおいて、前記第１端が前記第１スライドスロットの中で摺動し、かつ、前記第２端が前記第２スライドスロットの中で摺動できるように構成されており、
前記第１支持コンポーネント、前記曲げ支持コンポーネント、および、前記第２支持コンポーネントは、前記支持層の折畳み又は展開を駆動するように構成されており、
前記第１支持コンポーネントと前記支持層との間には相対的なオフセットが存在せず、前記第２支持コンポーネントと前記支持層との間には相対的なオフセットが存在せず、かつ、前記支持層と、前記曲げ支持コンポーネントと前記支持層との間の嵌合面との間には相対的なオフセットが存在しない、
支持層と、
を含む、折畳み可能コンポーネント。
【請求項２】
前記曲げ支持コンポーネントは、順番に結合されている、第１スライドブロック、ヒンジ、および、第２スライドブロックを含んでおり、
前記第１スライドブロックは前記第１スライドスロットと協働し、前記第２スライドブロックは前記第２スライドスロットと協働し、
前記第１端は前記ヒンジから遠く離れた前記第１スライドブロックの端に形成されており、かつ、前記第２端は前記ヒンジから遠く離れた前記第２スライドブロックの端に形成されている、
請求項１に記載の折畳み可能コンポーネント。
【請求項３】
前記ヒンジは、歯の咬み合わせによって順番に結合されている、第１チェインセグメント、少なくとも１つの中間チェインセグメント、および、第２チェインセグメントを含んでおり、
前記第１チェインセグメントと前記第１スライドブロックとの間には固定結合が存在し、かつ、前記第２チェインセグメントと前記第２スライドブロックとの間には固定結合が存在している、
請求項２に記載の折畳み可能コンポーネント。
【請求項４】
前記ヒンジが折畳まれた後で、円弧外部プロフィールが形成され、かつ、前記円弧外部プロフィールは、前記支持層を支えるために使用される、
請求項３に記載の折畳み可能コンポーネント。
【請求項５】
前記折畳み可能コンポーネントは、さらに、制限ブロックを含んでおり、
前記制限ブロックは、前記第１支持コンポーネントと前記第２支持コンポーネントとの間に配置されており、
前記少なくとも１つの中間チェインセグメントは、前記制限ブロックに対して回転可能に結合されており、
前記制限ブロックは、互いに対向して配置された第１制限ロッドと第２制限ロッドを含んでおり、かつ、
第１制限スロットが前記第１支持コンポーネントにおいて設けられており、第２制限スロットが前記第２支持コンポーネントにおいて設けられており、
前記第１制限ロッドは前記第１制限スロットと協働し、前記第２制限ロッドは前記第２制限スロットと協働し、かつ、
前記第１支持コンポーネントが前記第２支持コンポーネントに対して折畳まれ又は展開されるプロセスにおいて、前記第１支持コンポーネントは、前記第１制限スロットの延長軌跡に沿って前記第１制限ロッドに関して移動し、前記第２支持コンポーネントは、前記第２制限スロットの延長軌跡に沿って前記第２制限ロッドに関して移動する、
請求項４に記載の折畳み可能コンポーネント。
【請求項６】
前記第１制限スロットと前記第２制限スロットの側壁は、両方とも円弧表面を有している、
請求項５に記載の折畳み可能コンポーネント。
【請求項７】
前記折畳み可能コンポーネントは、さらに、第１固定ブロックと第２固定ブロックを含んでおり、
前記第１固定ブロックは前記第１支持コンポーネントにマウントされており、
前記第２固定ブロックは前記第２支持コンポーネントにマウントされており、
第３スライドスロットが前記第１固定ブロックの一方の側に備えられており、かつ、
第４スライドスロットが前記第２固定ブロックの一方の側に備えられており、
前記折畳み可能コンポーネントは、さらに、順番に結合されている、第３スライドブロック、第２ヒンジ、および、第４スライドブロックを含んでおり、
前記第３スライドブロックは前記第３スライドスロットの中へ延び、前記第３スライドスロットにおける前記第３スライドブロックの移動方向は、前記第１スライドスロットにおける前記第１スライドブロックの移動方向と一致しており、
前記第４スライドブロックは前記第４スライドスロットの中へ延び、前記第４スライドスロットにおける前記第４スライドブロックの移動方向は、前記第２スライドスロットにおける前記第２スライドブロックの移動方向と一致しており、
前記第２ヒンジは、前記ヒンジと並んで配置されており、前記支持層を一緒に支え、かつ、前記ヒンジと同じ移動軌跡を維持し、
前記制限ブロックは、前記第２ヒンジにマウントされ、かつ、前記第２ヒンジの移動位置を制限するように構成されている、
請求項５に記載の折畳み可能コンポーネント。
【請求項８】
前記第２ヒンジは、前記ヒンジの１つの端に対して結合されており、かつ、前記ヒンジと同期して回転する、
請求項７に記載の折畳み可能コンポーネント。
【請求項９】
前記ヒンジが折畳まれた後で、円弧内部プロフィールが形成され、かつ、前記円弧内部プロフィールは、前記支持層を支えるために使用される、
請求項３に記載の折畳み可能コンポーネント。
【請求項１０】
前記支持層は、連続した弾性金属シートである、
請求項９に記載の折畳み可能コンポーネント。
【請求項１１】
前記折畳み可能コンポーネントは、さらに、制限ヒンジを含み、
前記制限ヒンジは、順番に結合されている、第１スライド部分、接続部分、および、第２スライド部分を形成しており、
前記曲げ支持コンポーネントの前記ヒンジは、前記接続部分に対して回転可能に結合されており、
前記第１スライド部分は制限ロッドの第１グループを含み、前記第２スライド部分は制限ロッドの第２グループを含んでおり、
制限スロットの第１グループが前記第１支持コンポーネントにおいて備えられ、制限スロットの第２グループが前記第２支持コンポーネントにおいて備えられており、
前記制限ロッドの第１グループは前記制限スロットの第１グループと協働し、前記制限ロッドの第２グループは前記制限スロットの第２グループと協働し、かつ、
前記制限ヒンジは、前記ヒンジの移動位置を制限するように構成されている、
請求項９に記載の折畳み可能コンポーネント。
【請求項１２】
前記制限ヒンジは、複数の制限チェインセグメントを含み、隣接する制限チェインセグメントは歯の咬み合わせによって結合されており、各制限チェインセグメントは２つの中心軸を含み、
前記制限ロッドの第１グループは、第１ロッドと第２ロッドを含み、前記第１ロッドの中心線と前記第２ロッドの中心線は、それぞれに前記２つの中心軸について接続されており、かつ、共線状にあり、
前記制限スロットの第１グループは、第１スロットと第２スロットを含み、前記第１スロットと前記第２スロットの延在方向は、前記折畳み可能コンポーネントの折畳み又は展開のプロセスにおける前記制限ヒンジの移動軌跡が決定されるように、異なっており、
前記第１ロッドは前記第１スロットと協働し、かつ、前記第２ロッドは前記第２スロットと協働する、
請求項１１に記載の折畳み可能コンポーネント。
【請求項１３】
前記第１スロットまたは前記第２スロットの延在方向は、前記支持層に結合されている前記第１支持コンポーネントの表面に対して平行である、
請求項１２に記載の折畳み可能コンポーネント。
【請求項１４】
モバイル端末であって、請求項１乃至１３いずれか一項に記載の折畳み可能コンポーネントと、フレキシブルディスプレイパネルとを含み、
前記フレキシブルディスプレイパネルは、前記支持層に取り付けられており、
前記フレキシブルディスプレイパネルは、順番に結合されている、第１ディスプレイ領域、第２ディスプレイ領域、および、第３ディスプレイ領域を形成しており、
前記第１ディスプレイ領域は前記第１支持コンポーネントに面し、前記第２ディスプレイ領域は前記曲げ支持コンポーネントに面し、かつ、前記第３ディスプレイ領域は前記第２支持コンポーネントに面している、
モバイル端末。
【発明の詳細な説明】
【技術分野】
【０００１】
本発明は、モバイル端末の技術分野に関する。そして、特定的には、折畳み可能コンポーネントおよびモバイル端末に関する。
【０００２】
本出願申請は、２０１６年１１月１７日付の中国特許出願第２０１６１１０２２４４９．３号に基づく優先権を主張するものである。タイトルは”ＦＯＬＤＡＢＬＥ  ＣＯＭＰＯＮＥＮＴ  ＡＮＤ  ＭＯＢＩＬＥ  ＴＥＲＭＩＮＡＬ”であり、その全体がここにおいて包含されている。
【背景技術】
【０００３】
大画面の携帯電話は、小画面の携帯電話に比べて、視覚および娯楽体験において優れている。そのため、現在は、主流メーカーの主力携帯電話製品の大部分が大画面を用いてデザインされる傾向が存在している。しかしながら、小画面の携帯電話と比較して、大画面の携帯電話は、快適性とポータビリティを保持することにおいて大きな欠点を有している。フレキシブルディスプレイパネルが次第に商業的な使用へとされるにつれて、折畳み可能な（foldable）携帯電話は、異なる使用シナリオにおけるディスプレイパネルのフレキシブルで可変なサイズの特性のおかげで、主流のデバイスメーカによる次世代携帯電話の開発の主要な方向になっている。しかしながら、折畳み又は展開（folding  and  unfolding）のプロセスにおいて、フレキシブルディスプレイパネルは、曲げ又は圧搾（squeezing）のせいで容易に損傷し、そして、携帯電話の寿命が大幅に短縮されてしまう。
【発明の概要】
【０００４】
上述の技術的問題を解決するために、本出願申請の実施形態は、折畳み可能コンポーネントを提供する。ここで、折畳み可能コンポーネントは、フレキシブルディスプレイパネルを支え、かつ、フレキシブルディスプレイパネルを折畳み又は展開のプロセスにおける損傷から保護するように構成されている。
【０００５】
加えて、本出願申請の実施形態は、さらに、折畳み可能コンポーネントが適用されるモバイル端末を提供する。
【０００６】
前述の目的を達成するために、本出願申請の実施においては、以下の技術的ソリューションが使用されている。
【０００７】
第１の態様に従って、本出願申請は、フレキシブルディスプレイパネルを支えるように構成されている、折畳み可能コンポーネントを提供する。折畳み可能コンポーネントは、
第１スライドスロットを備えている、第１支持コンポーネントと、
第２スライドスロットを備えている、第２支持コンポーネントと、
第１支持コンポーネントと第２支持コンポーネントとの間に結合されている曲げ支持コンポーネントであり、曲げ支持コンポーネントは互いに対向している第１端と第２端とを含み、第１端は第１スライドスロットの中へ延び、かつ、第２端は第２スライドスロットの中へ延びている、曲げ支持コンポーネントと、
フレキシブルディスプレイパネルを支えるように構成されている支持層であり、支持層は、第１支持コンポーネント、曲げ支持コンポーネント、および第２支持コンポーネントに対して取り付けられており、曲げ支持コンポーネントは、折畳み又は展開のプロセスにおいて第１端が第１スライドスロットの中で摺動し、かつ、第２端が第２スライドスロットの中で摺動できるように構成されており、第１支持コンポーネント、曲げ支持コンポーネント、および第２支持コンポーネントは、支持層の折畳み又は展開を駆動するように構成されており、第１支持コンポーネントと支持層との間には相対的なオフセットが存在せず、第２支持コンポーネントと支持層との間には相対的なオフセットが存在せず、かつ、支持層と、曲げ支持コンポーネントと支持層との間の嵌合面との間には相対的なオフセットが存在しない、支持層とを含む。
【０００８】
本実施形態においては、曲げ支持コンポーネントの折畳み又は展開のプロセスにおいて、第１端が第１スライドスロットの中を摺動し、かつ、第２端が第２スライドスロット中を摺動する。従って、曲げ支持コンポーネントは、支持層に関してフレキシブルに収縮または拡張することができる。例えば、曲げ支持コンポーネントが支持層の内側に配置されている場合には、支持層のサイズが変化しないで維持されるように、曲げ支持コンポーネントは折畳まれると収縮し、そして、曲げ支持コンポーネントは展開されると拡張する。もしくは、曲げ支持コンポーネントが支持層の外側に配置されている場合には、支持層のサイズが変化しないで維持されるように、曲げ支持コンポーネントは折畳まれると拡張し、そして、曲げ支持コンポーネントは展開されると収縮する。支持層のサイズは常に変化しないので、支持層の上に嵌合されたフレキシブルディスプレイパネルの大きさも変化せず、第１支持コンポーネントと支持層との間に相対的なオフセットは存在せず、第２支持コンポーネントと支持層との間に相対的なオフセットは存在せず、かつ、支持層と、曲げ支持コンポーネントと支持層との間の嵌合面との間には相対的なオフセットが存在しない。従って、フレキシブルディスプレイパネルの引張り又は圧搾によって生じる損傷を回避することができる。別の言葉で言えば、折畳み可能コンポーネントは、折畳み又は展開のプロセスにおける損傷からフレキシブルディスプレイパネルを保護することができる。
【０００９】
一つの実施形態において、曲げ支持コンポーネントは、順番に結合されている第１スライドブロック、ヒンジ、および第２スライドブロックを含んでおり、第１スライドブロックは第１スライドスロットと協働し、第２スライドブロックは第２スライドスロットと協働する。第１端はヒンジから遠く離れた第１スライドブロックの端に形成されており、かつ、第２端はヒンジから遠く離れた第２スライドブロックの端に形成されている。
【００１０】
一つの実施形態において、ヒンジは、歯の咬み合わせによって順番に結合されている第１チェインセグメント、少なくとも１つの中間チェインセグメント、および第２チェインセグメントを含んでいる。第１チェインセグメントと第１スライドブロックとの間には固定結合が存在し、かつ、第２チェインセグメントと第２スライドブロックとの間には固定結合が存在している。
【００１１】
第１チェインセグメント、少なくとも１つの中間チェインセグメント、および第２チェインセグメントが歯の咬み合わせによって順番に結合されているので、これらのチェインセグメントの移動軌跡（moving  tracks）が決定されることが理解され得る。折畳み可能コンポーネントは、折畳み又は展開のプロセスにおいて、固定の軌跡に沿って移動する。従って、フレキシブルディスプレイパネルに対して生じる損傷の確率をより低減することができる。同様に、第１チェインセグメント、少なくとも１つの中間チェインセグメント、および第２チェインセグメントの相対的な移動において、歯の咬み合わせ結合構造は、また、移動動作を比較的にスムーズにもする。従って、曲げ支持コンポーネントの折畳み及び展開動作も、また、比較的にスムーズであり、支持層の変形プロセスはスムーズかつ穏やか（gentle）であって、そして、フレキシブルディスプレイパネルに対して生じる損傷の確率を、さらに低減することができる。
【００１２】
第１チェインセグメントと第１スライドブロックは一体構造であってよく、もしくは、ピンを使用して又は溶接によって固定結合が実施されてよい。第２チェインセグメントと第２スライドブロックは一体構造であってよく、もしくは、ピンを使用して又は溶接によって固定結合が実施されてよい。
【００１３】
支持層は、変形プロセスにおいて支持層がスムーズな表面を常に維持するように、引張り変形（tensile  deformation）を容易には受けない弾性材料、例えば、弾性金属シートを使用している。このことは、さらに、フレキシブルディスプレイパネルに対して生じる損傷の確率を低減する。
【００１４】
一つの実施形態においては、ヒンジが折畳まれた後で、円弧外部プロフィールが形成され、かつ、円弧外部プロフィールは支持層を支えるために使用される。この場合に、支持層は、曲げ支持コンポーネントの外側に置かれており、外部プロフィールに取り付けられた支持層はスムーズであり、かつ、明らかな膨らみを有さない。そして、フレキシブルディスプレイパネルは、支持層の外側において配置されている。モバイル端末が折畳まれている場合に、フレキシブルディスプレイパネルは、モバイル端末の外側に置かれており、そして、可視状態（visible  state）にある。
【００１５】
一つの実施形態において、折畳み可能コンポーネントは、さらに、制限ブロックを含む。制限ブロックは第１支持コンポーネントと第２支持コンポーネントとの間に配置されており、少なくとも１つの中間チェインセグメントは制限ブロックに対して回転可能に結合されており、制限ブロックは、互いに対向して配置された第１制限ロッドと第２制限ロッドを含んでいる。そして、
第１制限スロットが第１支持コンポーネントにおいて設けられており、第２制限スロットが第２支持コンポーネントにおいて設けられており、第１制限ロッドは第１制限スロットと協働し、第２制限ロッドは第２制限スロットと協働する。そして、第１支持コンポーネントが第２支持コンポーネントに対して折畳まれ又は展開されるプロセスにおいて、第１支持コンポーネントは第１制限スロットの延長軌跡に沿って第１制限ロッドに関して移動し、第２支持コンポーネントは第２制限スロットの延長軌跡に沿って第２制限ロッドに関して移動する。
【００１６】
本実施形態において、停止コンポーネントは、折畳み又は展開のプロセスにおいて曲げ支持コンポーネントが行き過ぎる（over-travel）のを回避するように構成されている。
【００１７】
一つの実施形態において、第１制限スロットと第２制限スロットの側壁は、停止コンポーネントの移動動作がスムーズかつ穏やかであるように、両方とも円弧（arc）表面を有している。このことは、フレキシブルディスプレイパネルに対して生じる損傷の確率を低減するのに役立つ。
【００１８】
一つの実施形態において、折畳み可能コンポーネントは、さらに、第１固定ブロックと第２固定ブロックを含んでいる。第１固定ブロックは第１支持コンポーネントにマウントされており、第２固定ブロックは第２支持コンポーネントにマウントされており、第３スライドスロットが第１固定ブロックの一方の側に備えられており、かつ、第４スライドスロットが第２固定ブロックの一方の側に備えられている。そして、
折畳み可能コンポーネントは、さらに、順番に結合されている第３スライドブロック、第２ヒンジ、および第４スライドブロックを含んでいる。第３スライドブロックは第３スライドスロットの中へ延び、第３スライドスロットにおける第３スライドブロックの移動方向は第１スライドスロットにおける第１スライドブロックの移動方向と一致している。第４スライドブロックは第４スライドスロットの中へ延び、第４スライドスロットにおける第４スライドブロックの移動方向は第２スライドスロットにおける第２スライドブロックの移動方向と一致している。第２ヒンジは、ヒンジと並んで配置されており、支持層を一緒に支え、かつ、ヒンジと同じ移動軌跡を維持する。そして、制限ブロックは、第２ヒンジにマウントされ、かつ、第２ヒンジの移動位置を制限するように構成されている。
【００１９】
一つの実施形態において、第２ヒンジは、ヒンジの一つの端に対して結合されており、かつ、ヒンジと同期して回転する。例えば、ヒンジのチェインセグメントにおいてシャフトスロットが備えられ、ピン軸が第２ヒンジのチェインセグメントに備えられ、かつ、ピン軸はシャフトスロットの中に挿入されており、そして、ヒンジと第２ヒンジを固定するために使用されている。
【００２０】
一つの実施形態においては、ヒンジが折畳まれた後で、円弧内部プロフィールが形成され、そして、円弧内部プロフィールは支持層を支えるために使用されている。この場合に、支持層は、曲げ支持コンポーネントの内側に置かれており、内部プロフィールに取り付けられた支持層はスムーズであり、かつ、明らかな膨らみを有さない。そして、フレキシブルディスプレイパネルは、支持層の内側において配置されている。モバイル端末が折畳まれている場合に、フレキシブルディスプレイパネルは、モバイル端末の内側に置かれており、そして、見えない状態（invisible  state）にある。
【００２１】
一つの実施形態において、支持層は、支持層とヒンジがお互いに支え合うように、連続した弾性金属シートである。このことは、さらに、フレキシブルディスプレイパネルに対して生じる損傷の確率を低減する。弾性金属シートは、極めて薄い鋼板を含む。
【００２２】
一つの実施形態において、折畳み可能コンポーネントは、さらに、制限ヒンジを含む。制限ヒンジは、順番に結合されている第１スライド部分、接続部分、および、第２スライド部分を形成しており、曲げ支持コンポーネントのヒンジは接続部分に対して回転可能に結合されており、第１スライド部分は制限ロッドの第１グループを含み、かつ、第２スライド部分は制限ロッドの第２グループを含んでいる。そして、
制限スロットの第１グループが第１支持コンポーネントにおいて備えられ、制限スロットの第２グループが第２支持コンポーネントにおいて備えられており、制限ロッドの第１グループは制限スロットの第１グループと協働し、制限ロッドの第２グループは制限スロットの第２グループと協働する。そして、制限ヒンジは、ヒンジの移動位置を制限するように構成されている。
【００２３】
一つの実施形態において、制限ヒンジは、複数の制限チェインセグメントを含み、隣接する制限チェインセグメントは歯の咬み合わせによって結合されており、各制限チェインセグメントは２つの中心軸を含む。制限ロッドの第１グループは、第１ロッドと第２ロッドを含み、第１ロッドの中心線と第２ロッドの中心線は、それぞれに２つの中心軸について接続されており、かつ、共線状にある（collinear  in）。制限スロットの第１グループは、第１スロットと第２スロットを含み、第１スロットと第２スロットの延在方向は、折畳み可能コンポーネントの折畳み又は展開のプロセスにおける制限ヒンジの移動軌跡が決定されるように、異なっている。第１ロッドは第１スロットと協働し、かつ、第２ロッドは第２スロットと協働する。
【００２４】
一つの実施形態において、第１スロットまたは第２スロットの延在方向は、支持層に結合されている第１支持コンポーネントの表面に対して平行である。
【００２５】
第２の態様に従って、本出願申請の一つの実施形態は、さらに、モバイル端末を提供する。モバイル端末は、上記のうちいずれか一つに従った折畳み可能コンポーネントと、フレキシブルディスプレイパネルとを含む。ここで、フレキシブルディスプレイパネルは、支持層に取り付けられており、フレキシブルディスプレイパネルは、順番に結合されている第１ディスプレイ領域、第２ディスプレイ領域、および第３ディスプレイ領域を形成している。第１ディスプレイ領域は第１支持コンポーネントに面し、第２ディスプレイ領域は曲げ支持コンポーネントに面し、かつ、第３ディスプレイ領域は第２支持コンポーネントに面している。
フレキシブルディスプレイパネルは、また、表示およびタッチ機能も有している。
【図面の簡単な説明】
【００２６】
本出願申請における技術的ソリューションをより明確に説明するため、以下に、実装を説明するために必要とされる添付図面を簡単に説明する。明らかに、以下の説明における添付図面は、単に本出願申請のいくらかの実施例を示すものであり、そして、当業者であれば創造的な努力なしにこれらの添付図面から他の図面を引き出すことさえできるだろう。
【図１】図１は、本発明に係る一つの実施形態に従った、モバイル端末の模式的な構造図である。
【図２】図２は、本発明に係る一つの実施形態に従った、折り畳まれたモバイル端末の模式的な構成図である。
【図３】図３は、図１におけるＡ−Ａ部分の断面構造図である。
【図４】図４は、図２におけるＣ−Ｃ部分の断面構造図である。
【図５】図５は、本発明に係る一つの実施形態に従った、モバイル端末の曲げ支持（bending  support）コンポーネントの模式的な構造図である。
【図６】図６は、本発明に係る一つの実施形態に従った、モバイル端末の停止（stop）コンポーネントの模式的な構造図である。
【図７】図７は、図１におけるＢ−Ｂ部分の断面構造図である。
【図８】図８は、図２におけるＤ−Ｄ部分の断面構造図である。
【図９】図９は、本発明に係る一つの実施形態に従った、モバイル端末の別の停止コンポーネントの模式的な構成図である。
【図１０】図１０は、本発明に係る一つの実施形態に従った、展開された別のモバイル端末の模式的な構成図である。
【図１１】図１１は、本発明に係る一つの実施形態に従った、折り畳まれた別のモバイル端末の模式的な構成図である。
【図１２】図１２は、本発明に係る一つの実施形態に従った、別のモバイル端末の停止コンポーネントの分解図である。
【図１３】図１３は、図１０におけるＥ−Ｅ部分の断面構造図である。
【図１４】図１４は、図１１におけるＦ−Ｆ部分の断面構造図である。
【発明を実施するための形態】
【００２７】
以下に、添付の図面を参照して、本出願申請の実施形態を説明する。
【００２８】
図１から図４を参照すると、本出願申請の一つの実施形態によって提供されるモバイル端末100は、折畳み可能コンポーネント10を含んでいる。折畳み可能コンポーネント10は、フレキシブルディスプレイパネル20を支えるように構成されており、そうして、フレキシブルディスプレイパネル20の大きさは、折畳み又は展開に係る全体の曲げにおいて変化しないで維持され、かつ、フレキシブルディスプレイパネル20は、引張り又は圧搾されることがない。
【００２９】
折畳み可能コンポーネント10は、第１支持コンポーネント1、第２支持コンポーネント2、曲げ支持コンポーネント3、および、支持層4を含んでいる。第１スライドスロット11は、第１支持コンポーネント1の一方の側に備えられている。第２スライドスロット21は、第２支持コンポーネント2の一方の側に備えられている。曲げ支持コンポーネント3は、第１支持コンポーネントと第２支持コンポーネント2との間でフレキシブルに結合されている。曲げ支持コンポーネント3は、互いに対向している第１端31と第２端32とを含む。第１端31は、第１スライドスロット11の中へ延び、そして、第２端32は、第２スライドスロット21の中へ延びている。支持層4は、フレキシブルディスプレイパネル20を支えるように構成されている。支持層4の一方の側は、第１支持コンポーネント1、曲げ支持コンポーネント3、および、第２支持コンポーネント2に対して取り付けられており、そして、他方の側は、フレキシブルディスプレイパネル20と嵌合するために使用される。第１支持コンポーネント1が第２支持コンポーネント2に対して折畳み又は展開されるプロセスにおいて、曲げ支持コンポーネント3が折畳み又は展開され、第１端31が第１スライドスロット31の中で摺動し、第２端21が第２スライドスロット32の中で摺動し、第１支持コンポーネント、曲げ支持コンポーネント3、および第２支持コンポーネント2が支持層4の折畳み又は展開を駆動し、第１支持コンポーネント1と支持層4との間に相対的なオフセットは存在せず、第２支持コンポーネント2と支持層4との間には相対的なオフセットは存在せず、かつ、支持層4と、曲げ支持コンポーネント3と支持層4との間の嵌合面との間には相対的なオフセットが存在しない。
【００３０】
本実施形態においては、曲げ支持コンポーネント3の折畳み又は展開のプロセスにおいて、第１端31が第１スライドスロット11の中を摺動し、かつ、第２端32が第２スライドスロット21中を摺動する。従って、曲げ支持コンポーネント3は、支持層4に関してフレキシブルに収縮または拡張することができる。例えば、曲げ支持コンポーネント3が支持層4の内側に配置されている場合には、支持層4のサイズが変化しないで維持されるように、曲げ支持コンポーネント3は折畳まれると収縮し、そして、曲げ支持コンポーネント3は展開されると拡張する。もしくは、曲げ支持コンポーネント3が支持層4の外側に配置されている場合には、支持層4のサイズが変化しないで維持されるように、曲げ支持コンポーネント3は折畳まれると拡張し、そして、曲げ支持コンポーネント3は展開されると収縮する。支持層4のサイズは常に変化しないので、支持層4の上に嵌合されたフレキシブルディスプレイパネル20の大きさも変化せず、第１支持コンポーネント1と支持層4との間に相対的なオフセットは存在せず、第２支持コンポーネント2と支持層4との間に相対的なオフセットは存在せず、かつ、支持層4と、曲げ支持コンポーネント3と支持層4との間の嵌合面との間には相対的なオフセットが存在しない。従って、フレキシブルディスプレイパネル20の引張り又は圧搾によって生じる損傷を回避することができる。別の言葉で言えば、折畳み可能コンポーネント10は、折畳み又は展開のプロセスにおける損傷からフレキシブルディスプレイパネル20を保護することができる。
【００３１】
さらに、図３から図５を参照すると、任意的な実施形態において、曲げ支持コンポーネント3は、順番に結合されている第１スライドブロック33、ヒンジ34、および、第２スライドブロック35を含んでいる。第１スライドブロック33は、第１スライドスロット11と協働し、かつ、第２スライドブロック34は、第２スライドスロット21と協働する。第１端31は、ヒンジ34から遠く離れた第１スライドブロック33の端に形成されており、かつ、第２端は、ヒンジ34から遠く離れた第２スライドブロック35の端に形成されている。
【００３２】
ヒンジ34は、歯の咬み合わせ（tooth  meshing）によって順番に結合されている、第１チェインセグメント341、少なくとも１つの中間チェインセグメント342、および第２チェインセグメント343を含んでいる。第１チェインセグメント341と第１スライドブロック33との間には固定結合（fixed  connection）が存在し、そして、第２チェインセグメント343と第２スライドブロック35との間には固定結合存在している。第１チェインセグメント341、少なくとも１つの中間チェインセグメント342、および第２チェインセグメント343が、歯の咬み合わせによって順番に結合されているので、これらのチェインセグメントの移動軌跡（moving  tracks）が決定されることが理解され得る。折畳み可能コンポーネント10は、折畳み又は展開のプロセスにおいて、固定の軌跡に沿って移動する。従って、フレキシブルディスプレイパネル20に対して生じる損傷の確率をより低減することができる。同様に、第１チェインセグメント341、少なくとも１つの中間チェインセグメント342、および第２チェインセグメント343の相対的な移動において、歯の咬み合わせ結合構造は、また、移動動作を比較的にスムーズにもする。従って、曲げ支持コンポーネント3の折畳み及び展開動作も、また、比較的にスムーズであり、支持層4の変形プロセスはスムーズかつ穏やかであって、そして、フレキシブルディスプレイパネル20に対して生じる損傷の確率を、さらに低減することができる。
【００３３】
第１チェインセグメント341と第１スライドブロック33は、一体構造であってよく、もしくは、ピンを使用して又は溶接によって固定結合が実施されてよい。第２チェインセグメント343と第２スライドブロック35は、一体構造であってよく、もしくは、ピンを使用して又は溶接によって固定結合が実施されてよい。
【００３４】
支持層4は、変形プロセスにおいて支持層4がスムーズな表面を常に維持するように、引張り変形（tensile  deformation）を容易には受けない弾性材料、例えば、弾性金属シートを使用している。このことは、さらに、フレキシブルディスプレイパネル20に対して生じる損傷の確率を低減する。弾性金属シートは、これに限定されるものではないが、極めて薄い鋼板（extremely  thin  steel  sheet）を含む。
【００３５】
図３から図５を参照すると、任意的な実施形態においては、ヒンジ34が折畳まれた後（つまり、曲げ支持コンポーネント3が折畳まれた後で）、円弧外部プロフィール（arc  external  profile）が形成され、そして、円弧外部プロフィールは支持層4を支えるために使用される。この場合に、支持層4は、曲げ支持コンポーネント3の外側に置かれており、外部プロフィールに取り付けられた支持層4はスムーズであり、かつ、明らかな膨らみを有さない。そして、フレキシブルディスプレイパネル20は、支持層4の外側において配置されている。モバイル端末100が折畳まれている場合に、フレキシブルディスプレイパネル20は、モバイル端末の外側に置かれており、そして、可視状態（visible  state）にある。
【００３６】
第１チェインセグメント341、少なくとも１つの中間チェインセグメント342、および第２チェインセグメント343のそれぞれは、１つ又は２つの中心軸（central  shaft）を有している。例えば、ヒンジ34は、図５に示されるように、ただ１つの中心軸（中心軸はシャフトスロット344の中に備えられてよい）を有するチェインセグメントを使用し得る。または、図１２に示されるように、２つの中心軸を有するチェインセグメントを使用し得る。２つの中心軸を有するチェインセグメントを使用しているヒンジ34の移動軌跡のデザインは、よりフレキシブルであり、かつ、可変である。
【００３７】
図１から図８を参照すると、折畳み可能コンポーネント10は、さらに停止コンポーネント5を含んでいる。停止コンポーネント5は、第１支持コンポーネント1、曲げ支持コンポーネント3、および第２支持コンポーネント2に対して結合されており、そして、折畳み又は展開のプロセスにおいて曲げ支持コンポーネント3が行き過ぎる（over-travel）のを回避するように構成されている。これ以降に、詳細が説明される。
【００３８】
停止コンポーネント5は、制限ブロック53を含んでいる。制限ブロック53は、第１支持コンポーネント1と第２支持コンポーネント2との間に配置されている。少なくとも１つの中間チェインセグメント342は、制限ブロック53に対して回転可能に結合されている。制限ブロック53は、互いに対向して配置された第１制限ロッド531と第２制限ロッド532を含んでいる。
【００３９】
第１制限スロット511が第１支持コンポーネント1において設けられており、そして、第２制限スロット521が第２支持コンポーネント2において設けられている。第１制限ロッド531は第１制限スロット511と協働し、そして、第２制限ロッド532は第２制限スロット521と協働する。第１支持コンポーネント1が第２支持コンポーネント2に対して折畳まれ又は展開されるプロセスにおいて、第１支持コンポーネント1は、第１制限スロットの延長軌跡（extension  track）に沿って第１制限ロッド531に関して移動する。そして、第２支持コンポーネント2は、第２制限スロット521の延長軌跡に沿って第２制限ロッド532に関して移動する。停止コンポーネント5は、停止ブロック53を使用してヒンジ34の移動位置を制限することができる。
【００４０】
第１制限スロット511と第２制限スロット521の側壁は、停止コンポーネント5の移動動作がスムーズ、かつ、穏やか（gentle）であるように、両方とも円弧（arc）表面を有している。このことは、フレキシブルディスプレイパネル20に対して生じる損傷の確率を低減するのに役立つ。
【００４１】
任意的な実施形態において、停止コンポーネント5は、さらに、第１固定ブロック51と第２固定ブロック52を含んでよい。第１固定ブロック51は第１支持コンポーネント1にマウントされており、そして、第２固定ブロック52は第２支持コンポーネント2にマウントされている。第３スライドスロット512が第１固定ブロック51の一方の側に備えられており、そして、第４スライドスロット522が第２固定ブロック52の一方の側に備えられている。
【００４２】
停止コンポーネント5は、さらに、順番に結合されている第３スライドブロック54、第２ヒンジ55、第４スライドブロック56を含んでいる。第３スライドブロック54は、第３スライドスロット512の中へ延び、そして、第３スライドスロット512における第３スライドブロック54の移動方向は、第１スライドスロット11における第１スライドブロック33の移動方向と一致している。第４スライドブロック56は、第４スライドスロット522の中へ延び、そして、第４スライドスロット522における第４スライドブロック56の移動方向は、第２スライドスロット21における第２スライドブロック35の移動方向と一致している。第２ヒンジ55は、ヒンジ34と並んで配置されており、支持層4を一緒に支え、かつ、ヒンジ34と同じ移動軌跡を維持する。制限ブロック53は、第２ヒンジ55にマウントされ、そして、第２ヒンジ55の移動位置を制限するように構成されている。
【００４３】
任意的な実施形態において、第２ヒンジ55は、ヒンジ34の１つの端に対して結合されており、そして、ヒンジ34と同期して回転する。
【００４４】
任意的な実施形態において、第１制限スロット511は、第１支持コンポーネント1に直接的に備えられてよく、もしくは、第１制限スロット511が、第１固定ブロック51に備えられて、次いで、第１支持コンポーネント1に第１固定ブロック51がマウントされてよい。第２制限スロット521は、第２支持コンポーネント2に直接的に備えられてよく、もしくは、第２制限スロット521が、第２固定ブロック52に備えられて、次いで、第２支持コンポーネント2に第２固定ブロック52がマウントされてよい。
【００４５】
任意的な実施形態において、第１制限スロット511と第２制限スロット521は、対称的に備えられている。第１制限スロット511は、制限ブロック53の中心に近い近端点（near  end  point）および制限ブロック53の中心から遠く離れた遠端点（far  end  point）を含んでいる。第２制限スロット521は、制限ブロック53の中心に近い近端点および制限ブロック53の中心から遠く離れた遠端点を含んでいる。曲げ支持コンポーネント3が完全に展開される場合には、第１制限ロッド531は、第１制限スロット511の近端点に置かれており、そして、第２制限ロッド532は、第２制限スロット521の近端点に置かれており。曲げ支持コンポーネント3の折畳みプロセスにおいて、第１制限ロッド531は、第１制限スロット511の近端点から遠端点まで移動し、そして、第２制限ロッド521は、第２制限スロット521の近端点から遠端点まで移動する。曲げ支持コンポーネント3が完全に折畳まれた場合に、第１制限ロッド531は、第１制限スロット511の遠端点に置かれており、そして、第２制限ロッド532は、第２制限スロット521の遠端点に置かれている。曲げ支持コンポーネント3を展開するプロセスにおいて、第１制限ロッド531は、第１制限スロット511の遠端点から近端点まで移動し、そして、第２制限ロッド532は、第２制限スロット521の遠端点から近端点まで移動する。
【００４６】
第１制限スロット511の近端点と遠端点の位置、および、第２制限スロット521の近端点と遠端点の位置を設定することは、曲げ支持コンポーネント3の最大折畳み位置と最大展開位置を制限することができ、そして、折畳み又は展開のプロセスにおいて曲げ支持コンポーネント3の行き過ぎを回避することができることが理解され得る。
【００４７】
曲げ支持コンポーネント3が最大展開位置にある場合に、第１支持コンポーネント1に対して取り付けられた支持層4の一部と、第２支持コンポーネント2に対して取り付けられたその一部とは、同一平面上にある。もしくは、曲げ支持コンポーネント3が最大折畳み位置にある場合に、第１支持コンポーネント1に対して取り付けられた支持層4の一部と、第２支持コンポーネント2に対して取り付けられたその一部とは、平行であり、かつ、同一平面にはない。
【００４８】
図６から図８を参照すると、第２ヒンジ55は、順番に結合された４つのチェインセグメント551を含んでおり、そして、ピン軸（pin  shaft）552が各チェインセグメント551に備えられている。ピン軸522は、シャフトスロット344の中に挿入されており、そして、ヒンジ34と第２ヒンジ55を固定するために使用されている。隣接するチェインセグメント551間の結合は、歯の咬み合わせ（tooth  meshing）によって実施されている。２つの中間チェインセグメント551が、制限ブロック53に対して回転可能に結合されている。特定的に、制限ブロック53は、回転軸によってチェインセグメント551に対して結合されている。回転軸は、チェインセグメント551の１つの端に固定されてよく、そして、突出してよい。軸穴（shaft  hole）が、制限ブロック53に備えられている。回転軸は、チェインセグメント551が制限ブロック53に対して回転可能に結合されるように、軸穴と協働する。４つのチェインセグメント551のうち、２つの側に配置された２つのチェインセグメント551は、第３スライドブロック54と第４スライドブロック56それぞれに対して固定的に結合されている。
【００４９】
第１制限ロッド531と第１制限スロット511との間の協働、第２制限ロッド532と第２制限スロット521との間の協働、第３スライドブロック54と第３スライドスロット512との間の協働、第４スライドブロック56と第４スライドスロット522との間の協働、および、隣接するチェインセグメント551間における歯の咬み合わせの結合関係によって、第２ヒンジ55の各チェインセグメント551の移動軌跡が決定される。ヒンジ34が第２ヒンジ55と同じ移動軌跡を維持するので、ヒンジ34の軌跡もまた固定され、そして、曲げ支持コンポーネント3は、折畳み又は展開のプロセスにおいて、固定された軌跡に沿って移動する。このことは、さらに、フレキシブルディスプレイパネル20に対して生じる損傷の確率を低減することができる。
【００５０】
図９に示すように、案内ブロック541が第３スライドブロック54において備えられており、案内スロット513が第３スライドスロット512において形成されており、そして、案内ブロック541は、第３スライドブロック54が既定の軌跡に沿って移動するように、案内スロット513と協働する。
【００５１】
図９に示されるように、案内ブロック561が第４スライドブロック56において備えられており、案内スロット523が第４スライドスロット522において形成されており、そして、案内ブロック561は、第４スライドブロック56が既定の軌跡に沿って移動するように、案内スロット523と協働する。
【００５２】
図１０から図１４を参照すると、任意的な実施形態においては、ヒンジ34が折畳まれた後（つまり、曲げ支持コンポーネント3が折畳まれた後で）、円弧内部プロフィール（arc  internal  profile）が形成され、そして、円弧内部プロフィールは支持層4を支えるために使用される。この場合に、支持層4は、曲げ支持コンポーネント3の内側に置かれており、内部プロフィールに取り付けられた支持層4はスムーズであり、かつ、明らかな膨らみを有さない。そして、フレキシブルディスプレイパネル20は、支持層4の内側において配置されている。モバイル端末100が折畳まれている場合に、フレキシブルディスプレイパネル20は、モバイル端末の内側に置かれており、そして、見えない状態（invisible  state）にある。
【００５３】
第１チェインセグメント341、少なくとも１つの中間チェインセグメント342、および第２チェインセグメント343のそれぞれは、２つの中心軸を有している。第１チェインセグメント341、少なくとも１つの中間チェインセグメント342、および第２チェインセグメント343は、長い帯形状（long  strip  shape）である。２つの中心軸は、それぞれに２つの端に配置されている。ヒンジ34が折畳まれている場合に、内部プロフィールに取り付けられた支持層4がスムーズであり、かつ、明らかな膨らみを有さないように、ヒンジ34は概ねリング形状であり、そして、円弧内部プロフィールを有している。支持層4は、支持層4とヒンジ34がお互いに支え合うように、引張り変形を容易には受けない弾性材料、例えば、連続した弾性金属シートを使用している。このことは、さらに、フレキシブルディスプレイパネル20に対して生じる損傷の確率を低減する。弾性金属シートは、これに限定されるものではないが、極めて薄い鋼板を含む。
【００５４】
折畳み可能コンポーネント10は、さらに停止コンポーネント6を含んでいる。停止コンポーネント6は、第１支持コンポーネント、曲げ支持コンポーネント3、および第２支持コンポーネント2に対して結合されており、そして、展開プロセスにおいて曲げ支持コンポーネント3の行き過ぎを回避するように構成されている。
【００５５】
例えば、停止コンポーネント6は、制限（limiting）ヒンジ63を含んでいる。制限ヒンジ63は、順番に結合されている第１スライド部分632、接続部分633、および第２スライド部分634を形成している。曲げ支持コンポーネント3のヒンジ34は、接続部分33に対して回転可能に結合されている。第１スライド部分632は、制限ロッドの第１グループ635を含む。第２スライド部分634は、制限ロッドの第２グループ636を含む。制限スロットの第１グループ611が、第１支持コンポーネント1において備えられている。制限スロットの第２グループ621が、第２支持コンポーネント2において備えられている。制限ロッドの第１グループ635は、制限スロットの第１グループ611と協働する。制限ロッドの第２グループ636は、制限スロットの第２グループ621と協働する。制限ヒンジ63は、ヒンジ34の移動位置を制限するように構成されている。
【００５６】
制限スロットの第１グループ611の各スロットは、制限ヒンジ63の中心に近い近端点および制限ヒンジ63の中心から遠く離れた遠端点を含んでいる。制限スロットの第２グループ621の各スロットは、制限ヒンジ63の中心に近い近端点および制限ヒンジ63の中心から遠く離れた遠端点を含んでいる。曲げ支持コンポーネント3が完全に展開されている場合に、制限ロッドの第１グループ635における複数の制限ロッドは、制限スロットの第１グループ611における複数のスロットの遠端点において一対一に（one-to-basis）対応して配置されており、そして、制限ロッドの第２グループ636における複数の制限ロッドは、制限スロットの第２グループ621における複数のスロットの遠端点において一対一に対応して配置されている。曲げ支持コンポーネント3の折畳みプロセスにおいて、制限ロッドの第１グループ635における複数の制限ロッドは、制限スロットの第１グループ611における複数のスロットの遠端点から近端点まで移動し、そして、制限ロッドの第２グループ636における複数の制限ロッドは、制限スロットの第２グループ621における複数のスロットの遠端点から近端点まで移動する。曲げ支持コンポーネント3が完全に折畳まれた場合に、制限ロッドの第１グループ635における複数の制限ロッドは、制限スロットの第１グループ611における複数のスロットの近端点において一対一に対応して配置されており、そして、制限ロッドの第２グループ636における複数の制限ロッドは、制限スロットの第２グループ621における複数のスロットの近端点において一対一に対応して配置されている。曲げ支持コンポーネント3を展開するプロセスにおいて、制限ロッドの第１グループ635における複数の制限ロッドは、制限スロットの第１グループ611における複数のスロットの近端点から遠端点まで移動し、そして、制限ロッドの第２グループ636における複数の制限ロッドは、制限スロットの第２グループ621における複数のスロットの近端点から遠端点まで移動する。
【００５７】
制限スロットの第１グループ611における複数のスロットの近端点と遠端点の位置、および、制限スロットの第２グループ621における複数のスロットの近端点と遠端点の位置を設定することは、曲げ支持コンポーネント3の最大折畳み位置と最大展開位置を制限することができ、そして、折畳み又は展開のプロセスにおいて曲げ支持コンポーネント3の行き過ぎを回避することができることが理解され得る。
【００５８】
曲げ支持コンポーネント3が最大展開位置にある場合に、第１支持コンポーネント1に対して取り付けられた支持層4の一部と、第２支持コンポーネント2に対して取り付けられたその一部とは、同一平面上にある。もしくは、曲げ支持コンポーネント3が最大折畳み位置にある場合に、第１支持コンポーネント1に対して取り付けられた支持層4の一部と、第２支持コンポーネント2に対して取り付けられたその一部とは、平行であり、かつ、同一平面にはない。
【００５９】
任意的な実施形態において、停止コンポーネント6は、さらに、第３固定ブロック61と第４固定ブロック62を含んでいる。第３固定ブロック61は第１支持コンポーネント1にマウントされ、第４固定ブロック62は第２支持コンポーネント2にマウントされている。制限スロットの第１グループ611は、第３固定ブロック61において備えられてよい。制限スロットの第２グループ621は、第２支持コンポーネントにおいて備えられてよい。
【００６０】
２つの第３固定ブロック61が存在し、第１スライド部分632の２つの対向する側にそれぞれ配置されており、そして、制限ロッドの第１グループ635が制限スロットの第１グループ611から脱落するのを防止するように構成されている。
【００６１】
２つの第４固定ブロック62が存在し、第２スライド部分634の２つの対向する側にそれぞれ配置されており、そして、制限ロッドの第２グループ636が制限スロットの第２グループ621から脱落するのを防止するように構成されている。
【００６２】
図１２に示されるように、制限ヒンジ63は、複数の制限チェインセグメント631を含んでおり、そして、隣接する制限チェインセグメント631が、歯の咬み合わせによって結合されている。各制限チェインセグメント631は、２つの中心軸を含んでいる。制限ロッドの第１グループ635は、第１ロッド6351と第２ロッド6352を含んでいる。第１ロッド6351の中心線と第２ロッド6352の中心線は、それぞれに、制限チェインセグメント631の２つの中心軸について接続されており、そして、共線状にある（collinear  in）。制限スロットの第１グループ611は、第１スロット6111と第２スロット6112を含んでいる。第１スロット6111と第２スロット6112の延在方向は、折畳み可能コンポーネント10の折畳み又は展開のプロセスにおける制限ヒンジ63の移動軌跡が決定されるように、異なっている。第１ロッド6351は第１スロット6111と協働し、かつ、第２ロッド6352は第２スロット6112と協働し、そうして、制限チェインセグメント631は、同時に移動、かつ、回転することができる。
【００６３】
第１スロット6111または第２スロット6112の延在方向は、制限チェインセグメント631の移動範囲が短くなるように、支持層4に結合されている第１支持コンポーネント1の表面に対して平行である。図１２に示されるように、第２スロット6112の延在方向は、支持層4に結合されている第１支持コンポーネント1の表面と平行である。
【００６４】
任意的な実施形態において、支持層4は、第１支持コンポーネント1と第２支持コンポーネント2に対して確固として結合されている。支持層4は、曲げ支持コンポーネント3と接触し、かつ、結合されている。例えば、支持層4は、第１支持コンポーネント1と第２支持コンポーネント2の上に固着されている。支持層4は、曲げ支持コンポーネント3に対して着脱可能に結合されてよい。
【００６５】
図１、図２、図１０、および図１１に示されるように、フレキシブルディスプレイパネル20は、順番に結合されている第１ディスプレイ領域201、第２ディスプレイ領域202、および第３ディスプレイ領域203を形成している。第１ディスプレイ領域201は、第１支持コンポーネント1に面している。第２ディスプレイ領域202は、曲げ支持コンポーネント3に面している。第３ディスプレイ領域203は、第２支持コンポーネント2に面している。
【００６６】
フレキシブルディスプレイパネル20は、また、ディスプレイおよびタッチ機能を有している。第２ディスプレイ領域202は、モバイル端末100の一般的な機能アプリケーションを表示するように構成されてよい。例えば、気象、時刻、およびメッセージ通知である。
【００６７】
本出願申請におけるモバイル端末100は、これらに限定されるわけではないが、携帯電話、ノートブック、タブレットコンピュータ、POSマシン、車載コンピュータ、カメラなどを含んでいる。
【００６８】
本出願申請の実施形態は、上で詳細に説明されている。本出願申請に係る原理および実施は、特定の例を通じてここにおいて説明されている。本出願申請の実施形態に関する説明は、本出願申請に係る方法およびコア概念の理解を手助けするために提供されているに過ぎない。加えて、当業者であれば、本出願申請に係るアイデアに従った特定の実施形態および適用範囲に関して、本出願申請に対する変形および修正を行うことができる。従って、明細書の内容は、本出願申請に対する限定として解釈されるべきではない。
【図１】
2019506651.tif 000003
【図２】
2019506651.tif 000004
【図３】
2019506651.tif 000005
【図４】
2019506651.tif 000006
【図５】
2019506651.tif 000007
【図６】
2019506651.tif 000008
【図７】
2019506651.tif 000009
【図８】
2019506651.tif 000010
【図９】
2019506651.tif 000011
【図１０】
2019506651.tif 000012
【図１１】
2019506651.tif 000013
【図１２】
2019506651.tif 000014
【図１３】
2019506651.tif 000015
【図１４】
2019506651.tif 000016
【国際調査報告】
2019506651.tif 000017
2019506651.tif 000018
2019506651.tif 000019
2019506651.tif 000020